(57)【要約】【課題】光通信にて伝送される信号を処理する機能部の数を低減できる。【解決手段】光通信システムは、光通信を行なう通信網に接続された第１及び第２の網側装置２０，３０と、第１及び第２の端側装置４０，５０と、を備える。第１及び第２の端側装置４０，５０は、第１及び第２の網側装置２０，３０と第１及び第２の通信ケーブルＣ１１，Ｃ２２を経由して接続されることにより第１及び第２の網側装置２０，３０とそれぞれ光通信を行なう。光通信システムは、第１の網側装置２０を、通信網と、第２の網側装置３０と、第３の通信ケーブルＣ２１と、を経由して第１の端側装置４０と接続することにより第１の網側装置２０と第１の端側装置４０との間で光通信を行なう。第３の通信ケーブルＣ２１は、第２の網側装置３０及び第１の端側装置４０を接続する。【選択図】図２
2016208354.tif 000002
【特許請求の範囲】
【請求項１】
光通信を行なう通信網に接続された第１及び第２の網側装置と、
前記第１及び第２の網側装置と第１及び第２の通信ケーブルを経由して接続されることにより当該第１及び第２の網側装置とそれぞれ光通信を行なう第１及び第２の端側装置と、を備え、
前記第１の網側装置を、前記通信網と、前記第２の網側装置と、当該第２の網側装置及び前記第１の端側装置を接続する第３の通信ケーブルと、を経由して当該第１の端側装置と接続することにより当該第１の網側装置と当該第１の端側装置との間で光通信を行なう、光通信システム。
【請求項２】
請求項１に記載の光通信システムであって、
前記第１の網側装置及び前記第２の端側装置を接続する第４の通信ケーブルを経由して、当該第１の網側装置を当該第２の端側装置と接続する第１の状態と、前記通信網と前記第２の網側装置と前記第３の通信ケーブルとを経由して、当該第１の網側装置を前記第１の端側装置と接続する第２の状態と、の間で状態が切り替わる切替器を備える、光通信システム。
【請求項３】
請求項１又は請求項２に記載の光通信システムであって、
前記通信網において行なわれる前記光通信は、光波長多重通信であり、
前記通信網と前記第２の網側装置と前記第３の通信ケーブルとを経由する、前記第１の網側装置と前記第１の端側装置との間の前記光通信には、前記通信網における前記光波長多重通信にて使用可能な波長のうちの、網側装置と端側装置との間の光通信に用いられている波長と異なる波長が割り当てられる、光通信システム。
【請求項４】
請求項３に記載の光通信システムであって、
前記第１及び第２の網側装置を含む複数の網側装置と、前記第１及び第２の端側装置を含む複数の端側装置と、を備え、
前記複数の網側装置は、複数のＢＢＵ（Ｂａｓｅｂａｎｄ  Ｕｎｉｔ）を含み、
前記複数の端側装置は、複数のＲＲＨ（Ｒｅｍｏｔｅ  Ｒａｄｉｏ  Ｈｅａｄ）を含み、
前記複数のＲＲＨは、所定のグループ数のグループに分類され、
前記通信網における前記光波長多重通信にて使用可能な波長のうちの、ＢＢＵとＲＲＨとの間の光通信に用いられている波長と異なる波長を、前記グループ数のグループに対して、各グループに分類されたＲＲＨから選択されたＲＲＨとＢＢＵとの間の光通信にそれぞれ割り当てる、光通信システム。
【請求項５】
請求項４に記載の光通信システムであって、
前記通信網における前記光波長多重通信にて使用可能な波長のうちの、ＢＢＵとＲＲＨとの間の光通信に用いられている波長と異なる波長の数に応じて、前記グループ数を決定する、光通信システム。
【請求項６】
請求項４又は請求項５に記載の光通信システムであって、
前記グループ数のグループのそれぞれに対して、当該グループに関連付けられた位置からの距離が所定の閾値以下であるＲＲＨを当該グループに分類する、光通信システム。
【請求項７】
請求項４乃至請求項６のいずれか一項に記載の光通信システムであって、
前記ＲＲＨの前記選択は、前記グループ数のグループのそれぞれに対して、当該グループに分類されたＲＲＨのそれぞれの負荷に基づいて行なわれる、光通信システム。
【請求項８】
光通信を行なう通信網に接続された第１及び第２の網側装置と、
前記第１及び第２の網側装置と第１及び第２の通信ケーブルを経由して接続されることにより当該第１及び第２の網側装置とそれぞれ光通信を行なう第１及び第２の端側装置と、を備える光通信システムに適用され、
前記第１の網側装置を、前記通信網と、前記第２の網側装置と、当該第２の網側装置及び前記第１の端側装置を接続する第３の通信ケーブルと、を経由して当該第１の端側装置と接続することにより当該第１の網側装置と当該第１の端側装置との間で光通信を行なう、光通信方法。
【請求項９】
請求項８に記載の光通信方法であって、
前記第１の網側装置及び前記第２の端側装置を接続する第４の通信ケーブルを経由して、当該第１の網側装置を当該第２の端側装置と接続する第１の状態と、前記通信網と前記第２の網側装置と前記第３の通信ケーブルとを経由して、当該第１の網側装置を前記第１の端側装置と接続する第２の状態と、の間で切替器の状態を切り替える、光通信方法。
【請求項１０】
請求項８又は請求項９に記載の光通信方法であって、
前記通信網において行なわれる前記光通信は、光波長多重通信であり、
前記通信網と前記第２の網側装置と前記第３の通信ケーブルとを経由する、前記第１の網側装置と前記第１の端側装置との間の前記光通信は、前記通信網における前記光波長多重通信にて使用可能な波長のうちの、他の光通信に用いられる波長と異なる波長を用いて行なわれる、光通信方法。
【請求項１１】
請求項１０に記載の光通信方法であって、
前記光通信システムは、前記第１及び第２の網側装置を含む複数の網側装置と、前記第１及び第２の端側装置を含む複数の端側装置と、を備え、
前記複数の網側装置は、複数のＢＢＵ（Ｂａｓｅｂａｎｄ  Ｕｎｉｔ）を含み、
前記複数の端側装置は、複数のＲＲＨ（Ｒｅｍｏｔｅ  Ｒａｄｉｏ  Ｈｅａｄ）を含み、
前記複数のＲＲＨは、所定のグループ数のグループに分類され、
前記通信網における前記光波長多重通信にて使用可能な波長のうちの、ＢＢＵとＲＲＨとの間の光通信に用いられている波長と異なる波長を、前記グループ数のグループに対して、各グループに分類されたＲＲＨから選択されたＲＲＨとＢＢＵとの間の光通信にそれぞれ割り当てる、光通信方法。
【請求項１２】
請求項１１に記載の光通信方法であって、
前記通信網における前記光波長多重通信にて使用可能な波長のうちの、ＢＢＵとＲＲＨとの間の光通信に用いられている波長と異なる波長の数に応じて、前記グループ数を決定する、光通信方法。
【請求項１３】
請求項１１又は請求項１２に記載の光通信方法であって、
前記グループ数のグループのそれぞれに対して、当該グループに関連付けられた位置からの距離が所定の閾値以下であるＲＲＨを当該グループに分類する、光通信方法。
【請求項１４】
請求項１１乃至請求項１３のいずれか一項に記載の光通信方法であって、
前記ＲＲＨの前記選択は、前記グループ数のグループのそれぞれに対して、当該グループに分類されたＲＲＨのそれぞれの負荷に基づいて行なわれる、光通信方法。
【発明の詳細な説明】
【技術分野】
【０００１】
本発明は、光通信システム、及び、光通信方法に関する。
【背景技術】
【０００２】
複数の網側装置と複数の端側装置とを備える光通信システムが知られている（例えば、特許文献１を参照）。複数の網側装置は、複数のＢＢＵ（Ｂａｓｅｂａｎｄ  Ｕｎｉｔ）を含む。複数の端側装置は、複数のＲＲＨ（Ｒｅｍｏｔｅ  Ｒａｄｉｏ  Ｈｅａｄ）を含む。複数の網側装置は、光波長多重通信を行なう通信網に接続される。複数の端側装置は、複数の網側装置と複数の通信ケーブルを経由して接続されることにより、当該複数の網側装置とそれぞれ光通信を行なう。
【先行技術文献】
【特許文献】
【０００３】
【特許文献１】特開２０１４−０９０３４６号公報
【発明の概要】
【発明が解決しようとする課題】
【０００４】
ところで、通信ケーブルに障害が発生することがある。例えば、障害は、通信ケーブルの断線である。そこで、第１の端側装置と第１の網側装置とを第１の通信ケーブルにより接続するとともに、第１の端側装置と第２の網側装置とを第２の通信ケーブルにより接続することにより、通信路を冗長化することが考えられる。
【０００５】
この場合、第１の網側装置が、第１の通信ケーブルを経由した光通信にて伝送される信号を処理する機能部を備えるとともに、第２の網側装置が、第２の通信ケーブルを経由した光通信にて伝送される信号を処理する機能部を備える。従って、この場合、冗長化される通信路が多くなるほど、光通信にて伝送される信号を処理する機能部も多くなる。
【０００６】
一つの側面として、本発明の目的の一つは、光通信にて伝送される信号を処理する機能部の数を低減することにある。
【課題を解決するための手段】
【０００７】
一つの側面では、光通信システムは、光通信を行なう通信網に接続された第１及び第２の網側装置と、第１及び第２の端側装置と、を備える。上記第１及び第２の端側装置は、上記第１及び第２の網側装置と第１及び第２の通信ケーブルを経由して接続されることにより当該第１及び第２の網側装置とそれぞれ光通信を行なう。
上記光通信システムは、上記第１の網側装置を、上記通信網と、上記第２の網側装置と、第３の通信ケーブルと、を経由して当該第１の端側装置と接続することにより当該第１の網側装置と当該第１の端側装置との間で光通信を行なう。上記第３の通信ケーブルは、上記第２の網側装置及び上記第１の端側装置を接続する。
【発明の効果】
【０００８】
光通信にて伝送される信号を処理する機能部の数を低減できる。
【図面の簡単な説明】
【０００９】
【図１】第１実施形態の無線通信システムの構成の一例を表すブロック図である。
【図２】図１の網側装置の構成の一例を表すブロック図である。
【図３】図２の送受信部の構成の一例を表すブロック図である。
【図４】図１の端側装置の構成の一例を表すブロック図である。
【図５】図１の制御装置の構成の一例を表すブロック図である。
【図６】図１の制御装置が記憶する負荷情報の一例を表すテーブルである。
【図７】図１の制御装置が実行する処理の一例を表すフローチャートである。
【図８】第１実施形態の第１変形例の制御装置が実行する処理の一例を表すフローチャートである。
【図９】第１実施形態の第２変形例の制御装置が実行する処理の一例を表すフローチャートである。
【図１０】第１実施形態の第２変形例の制御装置が記憶する負荷情報の一例を表すテーブルである。
【図１１】第１実施形態の第３変形例の制御装置が記憶する負荷情報の一例を表すテーブルである。
【発明を実施するための形態】
【００１０】
以下、図面を参照して実施形態を説明する。ただし、以下に説明される実施形態は例示である。従って、以下に明示しない種々の変形や技術が実施形態に適用されることは排除されない。なお、以下の実施形態で用いる図面において、同一の符号を付した部分は、変更又は変形が明示されない限り、同一若しくは同様の部分を表す。
【００１１】
＜第１実施形態＞
（構成）
例えば、図１に表されるように、第１実施形態の無線通信システム１は、制御装置１０と、Ｍ組の網側装置２０、網側装置３０、端側装置４０及び端側装置５０と、Ｎ個の無線端末６１，６２，…と、を備える。Ｍは、１以上の整数を表す。Ｎは、２以上の整数を表す。無線端末６１，６２，…のそれぞれは、例えば、携帯電話機、又は、スマートフォン等である。
【００１２】
無線通信システム１は、所定の無線通信方式に従って通信を行なう。本例では、無線通信方式は、ＬＴＥ方式である。ＬＴＥは、Ｌｏｎｇ  Ｔｅｒｍ  Ｅｖｏｌｕｔｉｏｎの略記である。なお、無線通信方式は、ＬＴＥ方式と異なる方式（例えば、ＬＴＥ−Ａｄｖａｎｃｅｄ等の方式）であってもよい。
【００１３】
以下、１つの組を構成する、網側装置２０、網側装置３０、端側装置４０及び端側装置５０を中心として説明するが、他の組を構成する、網側装置２０、網側装置３０、端側装置４０及び端側装置５０についても同様に説明される。
【００１４】
網側装置２０及び３０は、光通信を行なう通信網ＮＷに接続される。本例では、通信網ＮＷにおいて行なわれる光通信は、光波長多重通信である。本例では、網側装置２０及び３０のそれぞれは、通信網ＮＷにおけるノードを構成する。本例では、通信網ＮＷは、リング型のネットワークトポロジを有する。なお、通信網ＮＷは、リング型のネットワークトポロジと異なるネットワークトポロジを有してもよい。
【００１５】
網側装置２０は、端側装置４０及び５０と、光通信ケーブルＣ１１及びＣ１２を介してそれぞれ接続されている。網側装置３０は、端側装置４０及び５０と、光通信ケーブルＣ２１及びＣ２２を介してそれぞれ接続されている。光通信ケーブルＣ１１、Ｃ１２、Ｃ２１及びＣ２２のそれぞれは、光ファイバを含む。
【００１６】
なお、網側装置２０は、第１の網側装置の一例である。網側装置３０は、第２の網側装置の一例である。端側装置４０は、第１の端側装置の一例である。端側装置５０は、第２の端側装置の一例である。光通信ケーブルＣ１１は、第１の通信ケーブルの一例である。光通信ケーブルＣ２２は、第２の通信ケーブルの一例である。光通信ケーブルＣ２１は、第３の通信ケーブルの一例である。光通信ケーブルＣ１２は、第４の通信ケーブルの一例である。
【００１７】
網側装置２０及び３０のそれぞれは、端側装置４０又は５０と、所定の光通信方式に従って光通信を行なう。本例では、光通信方式は、ＣＰＲＩ（Ｃｏｍｍｏｎ  Ｐｕｂｌｉｃ  Ｒａｄｉｏ  Ｉｎｔｅｒｆａｃｅ）に準拠した方式である。なお、光通信方式は、ＣＰＲＩに準拠した方式と異なる方式であってもよい。
【００１８】
網側装置２０及び３０のそれぞれは、通信網ＮＷに接続された他の装置（例えば、他の網側装置）からデータ（例えば、ＩＰパケット）を受信する。ＩＰは、Ｉｎｔｅｒｎｅｔ  Ｐｒｏｔｏｃｏｌの略記である。網側装置２０及び３０のそれぞれは、受信したデータに対して送信ＢＢ（Ｂａｓｅｂａｎｄ）信号処理を実行し、処理後のＢＢ信号を端側装置４０又は５０へ送信する。本例では、送信ＢＢ信号処理は、データに対する変調を含む。
【００１９】
網側装置２０及び３０のそれぞれは、ＢＢ信号を端側装置４０又は５０から受信する。網側装置２０及び３０のそれぞれは、受信したＢＢ信号に対して受信ＢＢ信号処理を実行し、処理後のデータを通信網ＮＷに接続された他の装置（例えば、他の網側装置）へ送信する。本例では、受信ＢＢ信号処理は、ＢＢ信号に対する復調を含む。
【００２０】
端側装置４０及び５０のそれぞれは、網側装置２０又は３０からＢＢ信号を受信し、受信したＢＢ信号を無線信号に変換し、変換後の無線信号を無線端末６１，６２，…へ無線により送信する。
端側装置４０及び５０のそれぞれは、無線端末６１，６２，…から無線信号を無線により受信し、受信した無線信号をＢＢ信号に変換し、変換後のＢＢ信号を網側装置２０又は３０へ送信する。
【００２１】
このようにして、本例では、網側装置２０及び３０と、端側装置４０及び５０と、は、複数の基地局装置を構成する。基地局装置は、ｅＮＢ（Ｅｖｏｌｖｅｄ  Ｎｏｄｅ  Ｂ）、又は、ＮＢ（Ｎｏｄｅ  Ｂ）と表されてもよい。
【００２２】
各基地局装置は、セルを形成する。なお、各基地局装置は、複数のセルを形成してもよい。セルは、無線エリアの一例である。無線エリアは、カバレッジ・エリア、又は、通信エリアと表されてもよい。例えば、セルは、マクロセル、マイクロセル、ナノセル、ピコセル、フェムトセル、ホームセル、スモールセル、又は、セクタセル等である。
各基地局装置は、当該基地局装置が形成するセル内に位置する無線端末６１，６２，…と無線により通信する。
【００２３】
制御装置１０は、網側装置２０及び３０のそれぞれと通信可能に接続されている。本例では、制御装置１０は、通信網ＮＷと異なる通信ケーブルを介して、網側装置２０及び３０のそれぞれと通信可能に接続されている。なお、制御装置１０は、通信網ＮＷを介して網側装置２０及び３０のそれぞれと通信可能に接続されていてもよい。
【００２４】
本例では、網側装置２０及び３０と、端側装置４０及び５０と、は、光通信システムを構成する。本例では、光通信システムは、ＷＤＭ−ＰＯＮを構成する。ＷＤＭ−ＰＯＮは、Ｗａｖｅｌｅｎｇｔｈ  Ｄｉｖｉｓｉｏｎ  Ｍｕｌｔｉｐｌｅｘｅｄ  Ｐａｓｓｉｖｅ  Ｏｐｔｉｃａｌ  Ｎｅｔｗｏｒｋの略記である。
【００２５】
次に、網側装置２０及び３０の構成について説明を加える。
例えば、図２に表されるように、網側装置２０は、ＲＯＡＤＭ部２１と、２つの送受信部２２−１及び２２−２と、切替器２４と、を備える。更に、網側装置３０は、ＲＯＡＤＭ部３１と、送受信部３２−１と、を備える。ＲＯＡＤＭは、Ｒｅｃｏｎｆｉｇｕｒａｂｌｅ  Ｏｐｔｉｃａｌ  Ａｄｄ  Ｄｒｏｐ  Ｍｕｌｔｉｐｌｅｘｅｒの略記である。
【００２６】
本例では、無線通信システム１は、通信網ＮＷにおいて時計回り方向に光信号を伝送する光通信ケーブルＣ３１と、通信網ＮＷにおいて反時計回り方向に光信号を伝送する光通信ケーブルＣ３２と、を備える。光通信ケーブルＣ３１及びＣ３２のそれぞれは、光ファイバを含む。
本例では、光通信ケーブルＣ３１及びＣ３２により伝送される光信号は、波長多重光信号である。波長多重光信号は、波長が異なる複数の光信号が多重された光信号である。
【００２７】
ＲＯＡＤＭ部２１は、光挿入部２１１及び２１４と、光分岐部２１２及び２１３と、光カプラ２１５と、を備える。
【００２８】
光挿入部２１１は、送受信部２２−１から入力された、第１の波長群に含まれる波長の光信号を、光通信ケーブルＣ３１により伝送される光信号に挿入する。第１の波長群は、通信網ＮＷにおける光波長多重通信にて使用可能な波長のうちの、送受信部２２−１のＢＢＵと、端側装置４０のＲＲＨと、の間の光通信に割り当てられた波長を含む。ＢＢＵ及びＲＲＨについては後述する。光信号の挿入は、光信号の付加と表されてもよい。
【００２９】
光分岐部２１２は、光通信ケーブルＣ３２により伝送される光信号から、第２の波長群に含まれる波長の光信号を分岐し、分岐した光信号を送受信部２２−１へ出力する。第２の波長群は、通信網ＮＷにおける光波長多重通信にて使用可能な波長のうちの、送受信部２２−１のＢＢＵと、端側装置４０のＲＲＨと、の間の光通信に割り当てられた波長を含む。第２の波長群に含まれる波長は、第１の波長群に含まれる波長と異なる。
【００３０】
送受信部２２−１は、光分岐部２１２から入力された光信号を電気信号に変換し、変換後の電気信号が表すデータに対して送信ＢＢ信号処理を実行する。送受信部２２−１は、処理後のＢＢ信号である電気信号を光信号に変換し、変換後の光信号を光通信ケーブルＣ１１を介して端側装置４０へ送信する。光信号の送信は、光信号の出力と表されてもよい。また、光信号の受信は、光信号の入力と表されてもよい。
【００３１】
送受信部２２−１は、光通信ケーブルＣ１１を介して端側装置４０から光信号を受信し、受信した光信号を電気信号に変換する。更に、送受信部２２−１は、変換後の電気信号であるＢＢ信号に対して受信ＢＢ信号処理を実行し、処理後のデータを表す電気信号を光信号に変換し、変換後の光信号を光挿入部２１１へ出力する。
【００３２】
光挿入部２１４は、送受信部２２−２から入力された、第３の波長群に含まれる波長の光信号を、光通信ケーブルＣ３２により伝送される光信号に挿入する。第３の波長群は、通信網ＮＷにおける光波長多重通信にて使用可能な波長のうちの、送受信部２２−２のＢＢＵと、端側装置４０又は５０のＲＲＨと、の間の光通信に割り当てられた波長を含む。第３の波長群に含まれる波長は、第１及び第２の波長群に含まれる波長と異なる。
【００３３】
後述するように、送受信部２２−２のＢＢＵと、端側装置４０又は５０のＲＲＨと、の間の光通信への波長の割り当ては、制御装置１０により行なわれる。
なお、送受信部２２−２のＢＢＵと、端側装置４０又は５０のＲＲＨと、の間の光通信に波長が割り当てられなかった場合、光挿入部２１４は、光信号の挿入を行なわない。
【００３４】
光分岐部２１３は、光通信ケーブルＣ３１により伝送される光信号から、第４の波長群に含まれる波長の光信号を分岐し、分岐した光信号を送受信部２２−２へ出力する。第４の波長群は、通信網ＮＷにおける光波長多重通信にて使用可能な波長のうちの、送受信部２２−２のＢＢＵと、端側装置４０又は５０のＲＲＨと、の間の光通信に割り当てられた波長を含む。第４の波長群に含まれる波長は、第１乃至第３の波長群に含まれる波長と異なる。
なお、送受信部２２−２のＢＢＵと、端側装置４０又は５０のＲＲＨと、の間の光通信に波長が割り当てられなかった場合、光分岐部２１３は、光信号の分岐を行なわない。
【００３５】
ＲＯＡＤＭ部３１は、光挿入部３１１と、光分岐部３１２と、光カプラ３１３と、を備える。
【００３６】
光挿入部３１１は、送受信部３２−１から入力された、第５の波長群に含まれる波長の光信号を、光通信ケーブルＣ３１により伝送される光信号に挿入する。第５の波長群は、通信網ＮＷにおける光波長多重通信にて使用可能な波長のうちの、送受信部３２−１のＢＢＵと、端側装置５０のＲＲＨと、の間の光通信に割り当てられた波長を含む。第５の波長群に含まれる波長は、第１乃至第４の波長群に含まれる波長と異なる。
【００３７】
光分岐部３１２は、光通信ケーブルＣ３２により伝送される光信号から、第６の波長群に含まれる波長の光信号を分岐し、分岐した光信号を送受信部３２−１へ出力する。第６の波長群は、通信網ＮＷにおける光波長多重通信にて使用可能な波長のうちの、送受信部３２−１のＢＢＵと、端側装置５０のＲＲＨと、の間の光通信に割り当てられた波長を含む。第６の波長群に含まれる波長は、第１乃至第５の波長群に含まれる波長と異なる。
【００３８】
送受信部３２−１は、光分岐部３１２から入力された光信号を電気信号に変換し、変換後の電気信号が表すデータに対して送信ＢＢ信号処理を実行する。送受信部３２−１は、処理後のＢＢ信号である電気信号を光信号に変換し、変換後の光信号を光通信ケーブルＣ２２を介して端側装置５０へ送信する。
【００３９】
送受信部３２−１は、光通信ケーブルＣ２２を介して端側装置５０から光信号を受信し、受信した光信号を電気信号に変換する。更に、送受信部３２−１は、変換後の電気信号であるＢＢ信号に対して受信ＢＢ信号処理を実行し、処理後のデータを表す電気信号を光信号に変換し、変換後の光信号を光挿入部３１１へ出力する。
【００４０】
更に、光挿入部３１１は、端側装置４０から送信され、且つ、光通信ケーブルＣ２１及び光カプラ３１３を経由して入力された、第３の波長群に含まれる波長の光信号を、光通信ケーブルＣ３１により伝送される光信号に挿入する。加えて、光分岐部３１２は、光通信ケーブルＣ３２により伝送される光信号から、第４の波長群に含まれる波長の光信号を分岐し、分岐した光信号を光カプラ３１３及び光通信ケーブルＣ２１を経由して端側装置４０へ送信する。
【００４１】
切替器２４は、第１の状態と第２の状態と第３の状態との間で状態が切り替わる。第１の状態は、送受信部２２−２を切替器２４及び光通信ケーブルＣ１２を経由して端側装置５０と接続する状態である。第２の状態は、送受信部２２−２を切替器２４を経由して光カプラ２１５と接続する状態である。第３の状態は、送受信部２２−２を端側装置５０及び光カプラ２１５のいずれにも接続しない状態である。
【００４２】
（第１の状態）
切替器２４が第１の状態である場合について説明を加える。
この場合、送受信部２２−２は、光分岐部２１３から入力された光信号を電気信号に変換し、変換後の電気信号が表すデータに対して送信ＢＢ信号処理を実行する。送受信部２２−２は、処理後のＢＢ信号である電気信号を光信号に変換し、変換後の光信号を切替器２４及び光通信ケーブルＣ１２を経由して端側装置５０へ送信する。
【００４３】
送受信部２２−２は、光通信ケーブルＣ１２及び切替器２４を経由して端側装置５０から光信号を受信し、受信した光信号を電気信号に変換する。更に、送受信部２２−２は、変換後の電気信号であるＢＢ信号に対して受信ＢＢ信号処理を実行し、処理後のデータを表す電気信号を光信号に変換し、変換後の光信号を光挿入部２１４へ出力する。
【００４４】
（第２の状態）
切替器２４が第２の状態である場合について説明を加える。
この場合、送受信部２２−２は、光分岐部２１３から入力された光信号を電気信号に変換し、変換後の電気信号が表すデータに対して送信ＢＢ信号処理を実行する。送受信部２２−２は、処理後のＢＢ信号である電気信号を光信号に変換し、変換後の光信号を切替器２４及び光カプラ２１５を経由して光挿入部２１４へ出力する。光挿入部２１４は、送受信部２２−２から、切替器２４及び光カプラ２１５を経由して入力された、第４の波長群に含まれる波長の光信号を、光通信ケーブルＣ３２により伝送される光信号に挿入する。
【００４５】
光分岐部２１３は、光通信ケーブルＣ３１により伝送される光信号から、第３の波長群に含まれる波長の光信号を分岐し、分岐した光信号を光カプラ２１５及び切替器２４を経由して送受信部２２−２へ出力する。送受信部２２−２は、光分岐部２１３から、光カプラ２１５及び切替器２４を経由して入力された光信号を電気信号に変換する。更に、送受信部２２−２は、変換後の電気信号であるＢＢ信号に対して受信ＢＢ信号処理を実行し、処理後のデータを表す電気信号を光信号に変換し、変換後の光信号を光挿入部２１４へ出力する。
【００４６】
（第３の状態）
切替器２４が第３の状態である場合、光信号は、送受信部２２−２から出力されない。
【００４７】
このように、本例では、送受信部２２−２は、網側装置２０とともに組を構成する他の網側装置３０と、当該組を構成する端側装置４０と、を接続する光通信ケーブルＣ２１を経由して、端側装置４０と接続可能に構成される。
【００４８】
なお、組を構成する網側装置の数は、３個以上であってもよい。また、組を構成する端側装置の数は、３個以上であってもよい。また、組を構成する網側装置の数は、組を構成する端側装置の数と異なっていてもよい。この場合も、本例と同様に、送受信部２２−２は、網側装置２０とともに組を構成する他の網側装置のそれぞれに対して、当該網側装置と、当該組を構成する端側装置と、を接続する光通信ケーブルを経由して、当該端側装置と接続可能に構成されてよい。
また、組を構成する網側装置の数は、組毎に異なっていてもよい。また、組を構成する端側装置の数は、組毎に異なっていてもよい。
【００４９】
本例では、網側装置２０は、光通信ケーブルＣ３１における、ＲＯＡＤＭ部２１の前段及び後段にて、光通信ケーブルＣ３１により伝送される光信号を増幅する増幅器Ａ１を備える。同様に、網側装置３０は、光通信ケーブルＣ３１における、ＲＯＡＤＭ部３１の前段及び後段にて、光通信ケーブルＣ３１により伝送される光信号を増幅する増幅器Ａ１を備える。
【００５０】
また、本例では、網側装置２０は、光通信ケーブルＣ３２における、ＲＯＡＤＭ部２１の前段及び後段にて、光通信ケーブルＣ３２により伝送される光信号を増幅する増幅器Ａ２を備える。同様に、網側装置３０は、光通信ケーブルＣ３２における、ＲＯＡＤＭ部３１の前段及び後段にて、光通信ケーブルＣ３２により伝送される光信号を増幅する増幅器Ａ２を備える。
【００５１】
次に、送受信部２２−１と、各制御部と、について説明を加える。
例えば、図３に表されるように、送受信部２２−１は、網内送受信部２２１と、イーサネットスイッチ部２２３と、モニタ部２２４と、ＢＢ処理部２２６と、端側送受信部２２８と、光カプラ２３０と、障害検出部２３１と、を備える。
更に、例えば、図３に表されるように、網側装置２０は、網内通信制御部２２２と、スイッチ制御部２２５と、ＢＢＵ制御部２２７と、端側通信制御部２２９と、通信部２３２と、を備える。
【００５２】
送受信部２２−１は、ダウンリンク信号を処理する機能部と、アップリンク信号を処理する機能部と、の組をＰ組有する。Ｐは、１以上の整数を表す。本例では、Ｐは、３を表す。ダウンリンク信号は、通信網ＮＷから無線端末６１，６２，…へ送信される信号である。アップリンク信号は、無線端末６１，６２，…から通信網ＮＷへ送信される信号である。なお、送受信部２２−１が備える上記機能部の組の数は、１、２、又は、４以上であってもよい。
【００５３】
網内送受信部２２１は、Ｐ個の網内送信機２２１ａと、Ｐ個の網内受信機２２１ｂと、を備える。網内送信機２２１ａは、イーサネットスイッチ部２２３から入力された電気信号を光信号に変換し、変換後の光信号を光挿入部２１１へ出力する。網内受信機２２１ｂは、光分岐部２１２により分岐された光信号を電気信号に変換し、変換後の電気信号をイーサネットスイッチ部２２３へ出力する。
【００５４】
本例では、Ｐ個の網内送信機２２１ａが出力する光信号の波長は、第１の波長群に含まれるＰ個の波長をそれぞれ有する。
本例では、Ｐ個の網内受信機２２１ｂに入力される光信号の波長は、第２の波長群に含まれるＰ個の波長をそれぞれ有する。
【００５５】
網内通信制御部２２２には、制御装置１０から受信された制御信号が、通信部２３２を経由して入力される。網内通信制御部２２２は、入力された制御信号に基づいて、ＲＯＡＤＭ部２１及び網内送受信部２２１において用いられる光信号の波長を制御する。また、網内通信制御部２２２は、ＲＯＡＤＭ部２１及び網内送受信部２２１において用いられる光信号の波長に関する情報を管理する。
【００５６】
イーサネットスイッチ部２２３は、イーサネット（「イーサネット」は登録商標）方式に従って、後述するＲｘＢＢＵ２２６ａから入力された信号の出力先を、Ｐ個の網内送信機２２１ａの中から選択し、選択した出力先へ当該入力された信号を出力する。同様に、イーサネットスイッチ部２２３は、イーサネット方式に従って、網内受信機２２１ｂから入力された信号の出力先を、後述するＰ個のＴｘＢＢＵ２２６ｂの中から選択し、選択した出力先へ当該入力された信号を出力する。
【００５７】
モニタ部２２４は、ＲｘＢＢＵ２２６ａ及びＴｘＢＢＵ２２６ｂのそれぞれに対して、単位時間あたりに入力又は出力された情報の量（換言すると、トラフィック量）を検出する。トラフィック量の検出は、トラフィック量の監視と表されてもよい。トラフィック量は、通信速度と表されてもよい。
【００５８】
スイッチ制御部２２５には、制御装置１０から受信された制御信号が、通信部２３２を経由して入力される。スイッチ制御部２２５は、入力された制御信号に基づいて、イーサネットスイッチ部２２３における信号の出力先を制御する。また、スイッチ制御部２２５は、モニタ部２２４により検出されたトラフィック量に関する情報を管理する。スイッチ制御部２２５は、トラフィック量に関する情報を、通信部２３２を経由して制御装置１０へ送信する。
【００５９】
ＢＢ処理部２２６は、Ｐ個のＲｘＢＢＵ２２６ａと、Ｐ個のＴｘＢＢＵ２２６ｂと、を備える。ＲｘＢＢＵは、Ｒｅｃｅｐｔｉｏｎ  Ｂａｓｅｂａｎｄ  Ｕｎｉｔの略記である。ＴｘＢＢＵは、Ｔｒａｎｓｍｉｓｓｉｏｎ  Ｂａｓｅｂａｎｄ  Ｕｎｉｔの略記である。
【００６０】
ＲｘＢＢＵ２２６ａは、端側送受信部２２８から入力されたＢＢ信号に対して、受信ＢＢ信号処理を実行し、処理後のデータをイーサネットスイッチ部２２３へ出力する。
ＴｘＢＢＵ２２６ｂは、イーサネットスイッチ部２２３から入力されたデータに対して、送信ＢＢ信号処理を実行し、処理後のＢＢ信号を端側送受信部２２８へ出力する。
【００６１】
ＢＢＵ制御部２２７には、制御装置１０から受信された制御信号が、通信部２３２を経由して入力される。ＢＢＵ制御部２２７は、入力された制御信号に基づいて、ＲｘＢＢＵ２２６ａ及びＴｘＢＢＵ２２６ｂと、後述するＲＲＨと、の接続を制御する。
【００６２】
また、ＢＢＵ制御部２２７は、端側装置４０との間で送受信される制御信号を処理することにより、後述するユーザ数に関する情報を取得し、取得した情報を管理する。本例では、制御信号は、光通信ケーブルＣ１１により伝送される。なお、制御信号は、光通信ケーブルＣ１１と異なる通信ケーブルにより伝送されてもよい。ＢＢＵ制御部２２７は、ユーザ数に関する情報を、通信部２３２を経由して制御装置１０へ送信する。
【００６３】
ＲｘＢＢＵ２２６ａ及びＴｘＢＢＵ２２６ｂの組は、ＢＢＵと表されてよい。また、ＢＢＵは、ＲＥＣ（Ｒａｄｉｏ  Ｅｑｕｉｐｍｅｎｔ  Ｃｏｎｔｒｏｌｌｅｒ）と表されてもよい。
【００６４】
端側送受信部２２８は、Ｐ個の端側受信機２２８ａと、分波器２２８ｂと、光カプラ２２８ｃと、Ｐ個の端側送信機２２８ｄと、合波器２２８ｅと、を備える。
【００６５】
分波器２２８ｂは、光通信ケーブルＣ１１、後述する光カプラ２３０、及び、光カプラ２２８ｃを経由して、端側装置４０から受信された光信号を、第１の波長群に含まれるＰ個の波長の光信号に分岐し（換言すると、分波し）、分岐後の光信号を、Ｐ個の端側受信機２２８ａへそれぞれ出力する。端側受信機２２８ａは、分波器２２８ｂから入力された光信号を電気信号に変換し、変換後の電気信号をＲｘＢＢＵ２２６ａへ出力する。
【００６６】
端側送信機２２８ｄは、ＴｘＢＢＵ２２６ｂから入力された電気信号を光信号に変換し、変換後の光信号を合波器２２８ｅへ出力する。本例では、Ｐ個の端側送信機２２８ｄが出力する光信号の波長は、第２の波長群に含まれるＰ個の波長をそれぞれ有する。合波器２２８ｅは、Ｐ個の端側送信機２２８ｄから入力された光信号を合波し、合波後の光信号を、光カプラ２２８ｃ、後述する光カプラ２３０、及び、光通信ケーブルＣ１１を経由して端側装置４０へ送信する。
【００６７】
光カプラ２３０は、光通信ケーブルＣ１１を経由して端側装置４０から受信された光信号を分岐し、分岐後の光信号を障害検出部２３１へ出力する。障害検出部２３１は、光カプラ２３０から入力された光信号に基づいて、光通信ケーブルＣ１１を経由した光通信における障害の発生を検出する。
【００６８】
本例では、障害検出部２３１は、光カプラ２３０から入力された光信号の強度が所定の閾値よりも小さい場合、光通信ケーブルＣ１１において障害が発生したことを検出する。一方、障害検出部２３１は、光カプラ２３０から入力された光信号の強度が上記閾値以上である場合、光通信ケーブルＣ１１において障害が発生していないことを検出する（換言すると、障害の発生を検出しない）。
【００６９】
端側通信制御部２２９には、制御装置１０から受信された制御信号が、通信部２３２を経由して入力される。端側通信制御部２２９は、入力された制御信号に基づいて、端側送受信部２２８において用いられる光信号の波長を制御する。また、端側通信制御部２２９は、端側送受信部２２８において用いられる光信号の波長に関する情報を管理する。更に、端側通信制御部２２９は、障害検出部２３１により検出された障害の発生に関する情報を管理する。
【００７０】
送受信部２２−２及び３２−１のそれぞれも、送受信部２２−１と同様の構成を有する。
【００７１】
次に、端側装置４０について説明を加える。
例えば、図４に表されるように、端側装置４０は、合波分波器４１０と、Ｐ個の光カプラ４２０と、無線送受信部４３０と、Ｐ個のアンテナ４５０と、モニタ部４６０と、ＲＲＨ制御部４７０と、を備える。無線送受信部４３０は、Ｐ個の無線送信機４３１と、Ｐ個の無線受信機４３２と、を備える。
【００７２】
合波分波器４１０は、網側装置２０からの光信号を、光通信ケーブルＣ１１を経由して受信する。また、合波分波器４１０は、網側装置３０からの光信号を、光通信ケーブルＣ２１を経由して受信する。
【００７３】
合波分波器４１０は、網側装置２０から光信号が受信された場合、当該光信号を、第２の波長群に含まれるＰ個の波長の光信号に分岐する。また、合波分波器４１０は、網側装置３０から光信号が受信された場合、当該光信号を、第４の波長群に含まれるＰ個の波長の光信号に分岐する。
合波分波器４１０は、分岐後の光信号を、光カプラ４２０を経由して、Ｐ個の無線送信機４３１へそれぞれ出力する。
【００７４】
無線送信機４３１は、合波分波器４１０から光カプラ４２０を経由して入力された光信号を電気信号に変換し、変換後の電気信号が表すＢＢ信号を無線信号に変換し、変換後の無線信号を、アンテナ４５０を介して無線端末６１，６２，…へ無線により送信する。
【００７５】
無線受信機４３２は、無線端末６１，６２，…からの無線信号を、アンテナ４５０を介して無線により受信し、受信した無線信号を表す電気信号を光信号に変換し、変換後の光信号を光カプラ４２０を経由して合波分波器４１０へ出力する。
【００７６】
合波分波器４１０は、Ｐ個の無線受信機４３２から光カプラ４２０を経由して入力された光信号を合波する。合波分波器４１０は、合波後の光信号を光通信ケーブルＣ１１を経由して網側装置２０へ送信する。また、合波分波器４１０は、合波後の光信号を光通信ケーブルＣ２１を経由して網側装置３０へ送信する。
【００７７】
合波分波器４１０が、合波後の光信号を光通信ケーブルＣ１１を経由して網側装置２０へ送信する場合、Ｐ個の無線受信機４３２が出力する光信号の波長は、第１の波長群に含まれるＰ個の波長をそれぞれ有する。また、合波分波器４１０が、合波後の光信号を光通信ケーブルＣ２１を経由して網側装置３０へ送信する場合、Ｐ個の無線受信機４３２が出力する光信号の波長は、第３の波長群に含まれるＰ個の波長をそれぞれ有する。
【００７８】
無線送信機４３１、無線受信機４３２、及び、アンテナ４５０の組は、ＲＲＨと表されてよい。また、ＲＲＨは、ＲＥ（Ｒａｄｉｏ  Ｅｑｕｉｐｍｅｎｔ）と表されてもよい。
【００７９】
モニタ部４６０は、無線送信機４３１及び無線受信機４３２の組のそれぞれに対して、当該組を用いて形成されるセルに位置する無線端末６１，６２，…の数（換言すると、ユーザ数、又は、端末数）を検出する。ユーザ数の検出は、ユーザ数の監視と表されてもよい。
【００８０】
ＲＲＨ制御部４７０は、網側装置２０又は網側装置３０から制御信号を受信し、受信した制御信号に基づいて、無線送受信部４３０において用いられる光信号の波長を制御する。また、ＲＲＨ制御部４７０は、無線送受信部４３０において用いられる光信号の波長に関する情報を管理する。また、ＲＲＨ制御部４７０は、モニタ部４６０により検出されたユーザ数に関する情報を管理する。ＲＲＨ制御部４７０は、ユーザ数に関する情報を、網側装置２０又は網側装置３０へ送信する。
【００８１】
次に、制御装置１０について説明を加える。
例えば、図５に表されるように、制御装置１０は、通信部１０１と、網側装置制御部１０２と、負荷情報記憶部１０３と、リソース割当部１０４と、を備える。
上述したように、網側装置２０は、通信部２３２を備える。また、網側装置３０は、網側装置２０と同様に、通信部３３２を備える。
【００８２】
通信部１０１は、通信部２３２及び通信部３３２のそれぞれとの間で制御信号を送受信する。
網側装置制御部１０２は、網側装置２０及び網側装置３０から受信された制御信号に基づいて負荷情報を生成し、生成した負荷情報を負荷情報記憶部１０３に記憶させる。負荷情報記憶部１０３は、ＲＲＨを識別するＲＲＨ識別情報と、ＲＲＨの位置と、ＲＲＨの負荷情報と、を関連付けて記憶する。ＲＲＨ識別情報は、ＲＲＨＩＤと表されてもよい。本例では、負荷情報記憶部１０３は、ＲＲＨＩＤとＲＲＨの位置とを関連付けて予め記憶する。
【００８３】
例えば、負荷情報記憶部１０３は、図６に表されるように、ＲＲＨＩＤと位置と平均トラフィック量を表す情報とを関連付けて記憶する。平均トラフィック量は、負荷の一例である。平均トラフィック量を表す情報は、負荷情報の一例である。本例では、平均トラフィック量は、トラフィック量を、０時から２４時までの期間に亘って平均した値である。なお、平均トラフィック量は、トラフィック量を、複数の日に亘って平均した値であってもよい。
【００８４】
リソース割当部１０４は、網側装置２０及び３０と、端側装置４０及び５０と、の間の通信路を特定する情報を予め保持する。
本例では、リソース割当部１０４は、網側装置２０と端側装置４０との間の、光通信ケーブルＣ１１を経由する第１の通信路を特定する情報を保持する。更に、リソース割当部１０４は、網側装置３０と端側装置５０との間の、光通信ケーブルＣ２２を経由する第２の通信路を特定する情報を保持する。
【００８５】
更に、リソース割当部１０４は、網側装置２０と端側装置４０との間の、通信網ＮＷ、網側装置３０、及び、光通信ケーブルＣ２１を経由する第３の通信路を特定する情報を保持する。更に、リソース割当部１０４は、網側装置２０と端側装置５０との間の、光通信ケーブルＣ１２を経由する第４の通信路を特定する情報を保持する。
【００８６】
本例では、第１及び第２の通信路は、現用の通信路として用いられる。従って、第１の通信路を用いた光通信には、２Ｐ（本例では、６）個の波長が予め割り当てられる。本例では、第１の通信路を用いた光通信に割り当てられた波長は、第１及び第２の波長群を構成する。更に、第２の通信路を用いた光通信にも、２Ｐ（本例では、６）個の波長が予め割り当てられる。本例では、第２の通信路を用いた光通信に割り当てられた波長は、第５及び第６の波長群を構成する。
【００８７】
本例では、第３及び第４の通信路は、予備の通信路として用いられる。
リソース割当部１０４は、網側装置制御部１０２に記憶されている負荷情報に基づいて、現用の通信路において障害が発生した場合に、予備の通信路を用いた光通信を行なうＲＲＨを選択する。
【００８８】
リソース割当部１０４は、選択したＲＲＨのそれぞれに対して、通信網ＮＷにおける光波長多重通信にて使用可能な波長のうちの、現用の通信路を用いた光通信に割り当てられた波長と異なる、２つの波長を割り当てる。換言すると、現用の通信路を用いた光通信に割り当てられた波長は、ＢＢＵとＲＲＨとの間の光通信に用いられている波長である。
なお、リソース割当部１０４の機能の説明は、後述する無線通信システム１の動作の説明によって補われる。
【００８９】
網側装置制御部１０２は、リソース割当部１０４により保持される、各通信路を特定する情報と、リソース割当部１０４により選択されたＲＲＨと、リソース割当部１０４により割り当てられた波長と、に基づいて、制御信号を生成する。
【００９０】
本例では、生成される制御信号は、選択されたＲＲＨのＲＲＨＩＤと、選択されたＲＲＨに対する予備の通信路を特定する情報と、選択されたＲＲＨに対する予備の通信路を用いた光通信に割り当てられた波長を特定する情報と、を含む。
【００９１】
網側装置制御部１０２は、生成した制御信号を通信部１０１を経由して、網側装置２０及び３０のそれぞれへ送信する。
網側装置２０及び３０は、通信部２３２及び３３２によって制御装置１０からの制御信号をそれぞれ受信する。網側装置２０は、受信した制御信号に従って、ＲＯＡＤＭ部２１、送受信部２２−１、送受信部２２−２、及び、切替器２４を制御する。網側装置３０は、受信した制御信号に従って、ＲＯＡＤＭ部３１及び送受信部３２−１を制御する。
【００９２】
網側装置２０は、現用の通信路における障害の発生が検出された場合、障害の発生が検出された現用の通信路を用いた光通信を行なっていたＲＲＨとＢＢＵとの間の予備の通信路を用いた光通信に波長が割り当てられているか否かを判定する。
【００９３】
障害の発生が検出された現用の通信路を用いた光通信を行なっていたＲＲＨとＢＢＵとの間の予備の通信路を用いた光通信に波長が割り当てられている場合、網側装置２０は、切替器２４の状態を第３の状態から第１の状態又は第２の状態に切り替える。一方、障害の発生が検出された現用の通信路を用いた光通信を行なっていたＲＲＨとＢＢＵとの間の予備の通信路を用いた光通信に波長が割り当てられていない場合、網側装置２０は、切替器２４の状態を第３の状態に維持する。
【００９４】
本例では、障害の発生が検出された現用の通信路を用いた光通信を行なっていたＲＲＨとＢＢＵとの間の予備の通信路が第３の通信路である場合、網側装置２０は、切替器２４の状態を第２の状態に切り替える。また、本例では、障害の発生が検出された現用の通信路を用いた光通信を行なっていたＲＲＨとＢＢＵとの間の予備の通信路が第４の通信路である場合、網側装置２０は、切替器２４の状態を第１の状態に切り替える。
これにより、現用の通信路における障害の発生が検出された場合、予備の通信路を用いた光通信が行なわれる。
【００９５】
（動作）
無線通信システム１の動作について説明する。
先ず、無線通信システム１は、現用の通信路を用いた光通信を行なうことにより動作する。これにより、制御装置１０は、トラフィック量及びユーザ数に関する情報を含む制御信号を、網側装置２０及び３０のそれぞれから受信する。
【００９６】
そして、本例では、制御装置１０は、所定の時間が経過した後、波長を割り当てる候補のＲＲＨのそれぞれに対して、トラフィック量を当該時間に亘って平均した平均トラフィック量を表す情報を負荷情報として生成する。更に、制御装置１０は、生成した負荷情報と、ＲＲＨＩＤと、ＲＲＨの位置と、を関連付けて記憶する。負荷情報の生成は、負荷の取得の一例である。
【００９７】
なお、制御装置１０は、負荷として、平均トラフィック量に代えて、平均ユーザ数を用いてもよい。平均ユーザ数は、ユーザ数を上記時間に亘って平均した値である。また、制御装置１０は、負荷として、平均トラフィック量に加えて、平均ユーザ数を用いてもよい。例えば、制御装置１０は、負荷として、平均トラフィック量が大きくなるほど大きくなり、且つ、平均ユーザ数が大きくなるほど大きくなるパラメータを用いてよい。
【００９８】
その後、制御装置１０は、例えば、図７に表される処理を実行する。以下、図７に表される処理について説明を加える。
制御装置１０は、未使用波長数に基づいてグループ数を決定する（図７のステップＳ１０１）。未使用波長数は、通信網ＮＷにおける光波長多重通信にて使用可能な波長のうちの、現用の通信路を用いた光通信に割り当てられた波長（換言すると、ＢＢＵとＲＲＨとの間の光通信に用いられている波長）と異なる波長（換言すると、未使用の波長）の数である。グループ数は、後述するように、ＲＲＨが分類されるグループの数である。
【００９９】
本例では、制御装置１０は、未使用波長数を２により除した商をグループ数として決定する。なお、制御装置１０は、未使用波長数を２により除した商よりも小さい値をグループ数として決定してもよい。
【０１００】
次いで、制御装置１０は、負荷が大きいグループ数のＲＲＨの位置をグループの基準位置としてそれぞれ選択する（図７のステップＳ１０２）。本例では、制御装置１０は、負荷が大きい方から順にグループ数のＲＲＨを抽出し、抽出したグループ数のＲＲＨの位置を、グループ数のグループの基準位置としてそれぞれ選択する。グループの基準位置は、当該グループに関連付けられた位置の一例である。
【０１０１】
次いで、制御装置１０は、選択した基準位置のそれぞれから、所定の距離Ｒ内に位置するＲＲＨを当該基準位置のグループに分類する（図７のステップＳ１０３）。そして、制御装置１０は、波長を割り当てる候補のＲＲＨのすべてが、いずれかのグループに分類されたか否かを判定する（図７のステップＳ１０４）。本例では、波長を割り当てる候補のＲＲＨは、端側装置４０及び５０が備えるＲＲＨである。
【０１０２】
波長を割り当てる候補のＲＲＨの少なくとも１つが、いずれのグループにも分類されていない場合、制御装置１０は、「Ｎｏ」と判定し、上記距離Ｒに所定の変化量Ｌを加算する（図７のステップＳ１０５）。変化量Ｌは、正の値を有する。次いで、制御装置１０は、図７のステップＳ１０３へ戻り、波長を割り当てる候補のＲＲＨのすべてが、いずれかのグループに分類されるまで、ステップＳ１０３からステップＳ１０５までの処理を繰り返し実行する。
【０１０３】
波長を割り当てる候補のＲＲＨのすべてが、いずれかのグループに分類された場合、制御装置１０は、図７のステップＳ１０４にて「Ｙｅｓ」と判定する。そして、制御装置１０は、グループ数のグループのそれぞれに対して、当該グループに分類されたＲＲＨのうちの負荷が最大のＲＲＨを、現用の通信路において障害が発生した場合に、予備の通信路を用いた光通信を行なうＲＲＨとして選択する。
【０１０４】
更に、制御装置１０は、選択したＲＲＨのそれぞれに対して、通信網ＮＷにおける光波長多重通信にて使用可能な波長のうちの、未使用の２つの波長を割り当てる（図７のステップＳ１０６）。選択されたＲＲＨに割り当てられる２つの波長は、ＲＲＨ毎に異なる。
【０１０５】
選択されたＲＲＨへの波長の割り当ては、当該ＲＲＨとＢＢＵとの間の現用の通信路において障害が発生した場合に行なわれる、当該ＲＲＨとＢＢＵとの間の予備の通信路を用いた光通信への波長の割り当てと表されてよい。
そして、制御装置１０は、図７に表される処理を終了する。
【０１０６】
その後、制御装置１０は、各通信路を特定する情報と、現用の通信路において障害が発生した場合に、予備の通信路を用いた光通信を行なうＲＲＨとして選択したＲＲＨと、当該ＲＲＨに割り当てた波長と、に基づいて、制御信号を生成する。そして、制御装置１０は、生成した制御信号を、網側装置２０及び３０のそれぞれへ送信する。
【０１０７】
網側装置２０及び３０のそれぞれは、制御装置１０から制御信号を受信する。網側装置２０は、受信した制御信号に従って、ＲＯＡＤＭ部２１、送受信部２２−１、送受信部２２−２、及び、切替器２４を制御する。網側装置３０は、受信した制御信号に従って、ＲＯＡＤＭ部３１及び送受信部３２−１を制御する。
【０１０８】
その後、網側装置２０及び網側装置３０のそれぞれは、現用の通信路における障害の発生を監視する。網側装置２０は、現用の通信路における障害の発生が検出された場合、障害の発生が検出された現用の通信路を用いた光通信を行なっていたＲＲＨとＢＢＵとの間の予備の通信路を用いた光通信に波長が割り当てられているか否かを判定する。
【０１０９】
障害の発生が検出された現用の通信路を用いた光通信を行なっていたＲＲＨとＢＢＵとの間の予備の通信路を用いた光通信に波長が割り当てられている場合、網側装置２０は、切替器２４の状態を第３の状態から第１の状態又は第２の状態に切り替える。
【０１１０】
本例では、障害の発生が検出された現用の通信路を用いた光通信を行なっていたＲＲＨとＢＢＵとの間の予備の通信路が第３の通信路である場合、網側装置２０は、切替器２４の状態を第２の状態に切り替える。また、本例では、障害の発生が検出された現用の通信路を用いた光通信を行なっていたＲＲＨとＢＢＵとの間の予備の通信路が第４の通信路である場合、網側装置２０は、切替器２４の状態を第１の状態に切り替える。
これにより、現用の通信路における障害の発生が検出された場合、予備の通信路を用いた光通信が行なわれる。
【０１１１】
一方、障害の発生が検出された現用の通信路を用いた光通信を行なっていたＲＲＨとＢＢＵとの間の予備の通信路を用いた光通信に波長が割り当てられていない場合、網側装置２０は、切替器２４の状態を第３の状態に維持する。この場合、予備の通信路を用いた光通信は行なわれない。
【０１１２】
以上、説明したように、第１実施形態の光通信システムは、網側装置２０を、通信網ＮＷと、網側装置３０と、光通信ケーブルＣ２１と、を経由して端側装置４０と接続することにより網側装置２０と端側装置４０との間で光通信を行なう。
【０１１３】
これによれば、光通信ケーブルＣ２１を経由した光通信にて伝送される信号を網側装置３０が処理することなく、網側装置２０が当該信号を処理することによって当該光通信を行なうことができる。従って、光通信ケーブルＣ２１を経由した光通信にて伝送される信号を処理する機能部を網側装置３０が備えなくてよいので、光通信にて伝送される信号を処理する機能部の数を低減できる。
【０１１４】
また、例えば、光通信ケーブルＣ１１を経由した、網側装置２０と端側装置４０との間の光通信に障害が発生した場合、網側装置２０と端側装置４０との間で、光通信ケーブルＣ１１に代えて、光通信ケーブルＣ２１を経由した光通信を行なうことができる。
【０１１５】
更に、第１実施形態の光通信システムは、第１の状態と第２の状態との間で状態が切り替わる切替器２４を備える。第１の状態は、網側装置２０及び端側装置５０を接続する光通信ケーブルＣ１２を経由して、網側装置２０を端側装置５０と接続する状態である。第２の状態は、通信網ＮＷと網側装置３０と光通信ケーブルＣ２１とを経由して、網側装置２０を端側装置４０と接続する状態である。
【０１１６】
これによれば、例えば、光通信ケーブルＣ２２を経由した、網側装置３０と端側装置５０との間の光通信に障害が発生した場合、網側装置２０と端側装置５０との間で光通信ケーブルＣ１２を経由した光通信を行なうことができる。
【０１１７】
更に、第１実施形態の光通信システムは、通信網ＮＷと網側装置３０と光通信ケーブルＣ２１とを経由する、網側装置２０と端側装置４０との間の光通信に、通信網ＮＷにおける光波長多重通信にて使用可能な波長のうちの、未使用の波長を割り当てる。
【０１１８】
これによれば、光通信ケーブルＣ２１を経由した光通信に割り当てられる波長に対する、網側装置２０、通信網ＮＷ、及び、網側装置３０における通信路を、他の光通信が行なわれている状態において予め設定できる。従って、光通信ケーブルＣ１１を経由した光通信から、光通信ケーブルＣ２１を経由した光通信へ、通信路を迅速に切り替えることができる。
【０１１９】
更に、第１実施形態の光通信システムにおいて、複数のＲＲＨは、所定のグループ数のグループに分類される。加えて、光通信システムは、通信網ＮＷにおける光波長多重通信にて使用可能な波長のうちの、未使用の波長を、グループ数のグループに対して、各グループに分類されたＲＲＨから選択されたＲＲＨとＢＢＵとの間の光通信にそれぞれ割り当てる。
【０１２０】
これによれば、グループ毎に選択されたＲＲＨとＢＢＵとの間の、予備の通信路を用いた光通信に、通信網ＮＷにおける光波長多重通信にて未使用の波長が割り当てられる。従って、複数のＲＲＨを適切に分類することにより、光通信システムは、障害が発生した場合であっても、予備の通信路を用いることにより、無線による通信を行なう無線端末６１，６２，…とＲＲＨを経由して適切に通信を行なうことができる。
【０１２１】
更に、第１実施形態の光通信システムは、通信網ＮＷにおける光波長多重通信にて使用可能な波長のうちの、未使用の波長の数に応じてグループ数を決定する。
これによれば、グループ毎に少なくとも１つの波長を、ＲＲＨとＢＢＵとの間の、予備の通信路を用いた光通信に割り当てることができる。
【０１２２】
更に、第１実施形態の光通信システムは、グループ数のグループのそれぞれに対して、当該グループに関連付けられた位置からの距離が所定の閾値以下であるＲＲＨを当該グループに分類する。
これによれば、位置の範囲に応じてＲＲＨを分類できる。これにより、障害が発生した場合に、光通信システムが予備の通信路を用いて無線端末６１，６２，…と通信を行なうことができる確率を高められる。
【０１２３】
更に、第１実施形態の光通信システムにおいて、ＲＲＨの選択は、グループ数のグループのそれぞれに対して、当該グループに分類されたＲＲＨのそれぞれの負荷に基づいて行なわれる。
【０１２４】
これによれば、ＲＲＨの負荷に基づいて、通信網ＮＷにおける光波長多重通信にて未使用の波長が割り当てられるとともに予備の通信路を用いた光通信を行なうＲＲＨが選択される。これにより、例えば、負荷が相対的に大きいＲＲＨとＢＢＵとの間の、予備の通信路を用いた光通信に、通信網ＮＷにおける光波長多重通信にて未使用の波長が割り当てられる。従って、障害が発生した場合に、光通信システムが予備の通信路を用いて無線端末６１，６２，…と通信を行なうことができる確率を高められる。
【０１２５】
＜第１実施形態の第１変形例＞
次に、第１実施形態の第１変形例の無線通信システムについて説明する。第１実施形態の第１変形例の無線通信システムは、第１実施形態の無線通信システムに対して、各グループの負荷の重心を含むセルを形成するＲＲＨを、予備の通信路を用いた光通信を行なうＲＲＨとして選択する点において相違している。以下、相違点を中心として説明する。なお、第１実施形態の第１変形例の説明において、第１実施形態にて使用した符号と同じ符号を付したものは、同一又はほぼ同様のものである。
【０１２６】
本例では、制御装置１０は、図７に表される処理に代えて、図８に表される処理を実行する。図８に表される処理は、図７に表される処理のステップＳ１０６が、ステップＳ１０７及びステップＳ１０８に置換された処理である。
【０１２７】
制御装置１０は、図８のステップＳ１０４にて「Ｙｅｓ」と判定すると、グループ数のグループのそれぞれに対して、当該グループの負荷の重心（換言すると、負荷重心）を決定する（図８のステップＳ１０７）。本例では、負荷重心は、当該グループに分類されたＲＲＨの負荷を重みとして用いて、当該グループに分類されたＲＲＨの位置を加重平均することにより得られた位置である。
【０１２８】
次いで、制御装置１０は、グループ数のグループのそれぞれに対して、当該グループに分類されたＲＲＨのうちの、負荷重心を含むセルを形成するＲＲＨを、現用の通信路において障害が発生した場合に予備の通信路を用いた光通信を行なうＲＲＨとして選択する。
【０１２９】
更に、制御装置１０は、選択したＲＲＨのそれぞれに対して、通信網ＮＷにおける光波長多重通信にて使用可能な波長のうちの、未使用の２つの波長を割り当てる（図８のステップＳ１０８）。選択されたＲＲＨに割り当てられる２つの波長は、ＲＲＨ毎に異なる。
そして、制御装置１０は、図８に表される処理を終了する。
【０１３０】
従って、第１実施形態の第１変形例の光通信システムによれば、第１実施形態の光通信システムと同様の作用及び効果を奏することができる。
更に、第１実施形態の第１変形例の光通信システムによれば、現用の通信路において障害が発生した場合に予備の通信路を用いた光通信を行なうＲＲＨを、負荷重心に基づいて適切に選択できる。従って、障害が発生した場合に、光通信システムが予備の通信路を用いて無線端末６１，６２，…と通信を行なうことができる確率を高められる。
【０１３１】
＜第１実施形態の第２変形例＞
次に、第１実施形態の第２変形例の無線通信システムについて説明する。第１実施形態の第２変形例の無線通信システムは、第１実施形態の無線通信システムに対して、所定の周期が経過する毎に、予備の通信路を用いた光通信を行なうＲＲＨを選択し直す点において相違している。以下、相違点を中心として説明する。なお、第１実施形態の第２変形例の説明において、第１実施形態にて使用した符号と同じ符号を付したものは、同一又はほぼ同様のものである。
【０１３２】
本例では、制御装置１０は、図７に表される処理に代えて、図９に表される処理を実行する。図９に表される処理は、図７に表される処理のステップＳ１０６の後に、ステップＳ１０９及びステップＳ１１０が追加された処理である。
【０１３３】
本例では、制御装置１０は、所定の更新周期（本例では、１０分）が経過する毎に、波長を割り当てる候補のＲＲＨのそれぞれに対して、トラフィック量を当該更新周期に亘って平均した平均トラフィック量を表す情報を負荷情報として生成する。更に、制御装置１０は、例えば、図１０に表されるように、生成した負荷情報と、ＲＲＨＩＤと、ＲＲＨの位置と、を関連付けて記憶する。
【０１３４】
制御装置１０は、図９のステップＳ１０６の処理を実行すると、上記更新周期が経過するまで待機する（図９のステップＳ１０９の「Ｎｏ」ルート）。そして、上記更新周期が経過すると、制御装置１０は、「Ｙｅｓ」と判定する。次いで、制御装置１０は、グループ数のグループのそれぞれに対して、当該グループに分類されたＲＲＨのうちの最新の負荷が最大のＲＲＨを、現用の通信路において障害が発生した場合に、予備の通信路を用いた光通信を行なうＲＲＨとして選択する。
【０１３５】
更に、制御装置１０は、選択したＲＲＨのそれぞれに対して、通信網ＮＷにおける光波長多重通信にて使用可能な波長のうちの、未使用の２つの波長を割り当てる（図９のステップＳ１１０）。選択されたＲＲＨに割り当てられる２つの波長は、ＲＲＨ毎に異なる。
【０１３６】
そして、制御装置１０は、図９のステップＳ１０９へ戻り、ステップＳ１０９からステップＳ１１０までの処理を繰り返し実行する。
【０１３７】
従って、第１実施形態の第２変形例の光通信システムによれば、第１実施形態の光通信システムと同様の作用及び効果を奏することができる。
更に、第１実施形態の第２変形例の光通信システムによれば、現用の通信路において障害が発生した場合に予備の通信路を用いた光通信を行なうＲＲＨを、最新の負荷に基づいて適切に選択できる。従って、障害が発生した場合に、光通信システムが予備の通信路を用いて無線端末６１，６２，…と通信を行なうことができる確率を高められる。
【０１３８】
なお、制御装置１０は、負荷が最大のＲＲＨを選択することに代えて、負荷重心を含むセルを形成するＲＲＨを選択してもよい。
【０１３９】
＜第１実施形態の第３変形例＞
次に、第１実施形態の第３変形例の無線通信システムについて説明する。第１実施形態の第３変形例の無線通信システムは、第１実施形態の無線通信システムに対して、時間帯毎の負荷に基づいてＲＲＨを選択する点において相違している。以下、相違点を中心として説明する。なお、第１実施形態の第３変形例の説明において、第１実施形態にて使用した符号と同じ符号を付したものは、同一又はほぼ同様のものである。
【０１４０】
本例では、制御装置１０は、複数の時間帯のそれぞれに対して、ＲＲＨ毎に、トラフィック量を当該時間帯に亘って平均した平均トラフィック量を表す情報を負荷情報として生成する。本例では、複数の時間帯は、０時から６時までの時間帯と、６時から１２時までの時間帯と、１２時から１８時までの時間帯と、１８時から２４時までの時間帯と、からなる。制御装置１０は、例えば、図１１に表されるように、複数の時間帯のそれぞれに対して生成した負荷情報と、ＲＲＨＩＤと、ＲＲＨの位置と、を関連付けて記憶する。
【０１４１】
本例では、制御装置１０は、現用の通信路において障害が発生した場合に予備の通信路を用いた光通信を行なうＲＲＨを、現時点を含む時間帯に対する負荷情報に基づいて選択する。
【０１４２】
従って、第１実施形態の第３変形例の光通信システムによれば、第１実施形態の光通信システムと同様の作用及び効果を奏することができる。
更に、第１実施形態の第３変形例の光通信システムによれば、現用の通信路において障害が発生した場合に予備の通信路を用いた光通信を行なうＲＲＨを、時間帯毎の負荷に基づいて適切に選択できる。従って、障害が発生した場合に、光通信システムが予備の通信路を用いて無線端末６１，６２，…と通信を行なうことができる確率を高められる。
【符号の説明】
【０１４３】
１      無線通信システム
１０    制御装置
１０１  通信部
１０２  網側装置制御部
１０３  負荷情報記憶部
１０４  リソース割当部
Ｃ１１，Ｃ１２，Ｃ２１，Ｃ２２，Ｃ３１，Ｃ３２  光通信ケーブル
２０    網側装置
２１    ＲＯＡＤＭ部
２１１，２１４  光挿入部
２１２，２１３  光分岐部
２１５  光カプラ
２２−１，２２−２  送受信部
２２１  網内送受信部
２２１ａ  網内送信機
２２１ｂ  網内受信機
２２２  網内通信制御部
２２３  イーサネットスイッチ部
２２４  モニタ部
２２５  スイッチ制御部
２２６  ＢＢ処理部
２２６ａ  ＲｘＢＢＵ
２２６ｂ  ＴｘＢＢＵ
２２７  ＢＢＵ制御部
２２８  端側送受信部
２２８ａ  端側受信機
２２８ｂ  分波器
２２８ｃ  光カプラ
２２８ｄ  端側送信機
２２８ｅ  合波器
２２９  端側通信制御部
２３０  光カプラ
２３１  障害検出部
２３２  通信部
２４    切替器
３０    網側装置
３１    ＲＯＡＤＭ部
３１１  光挿入部
３１２  光分岐部
３１３  光カプラ
３２−１    送受信部
３３２  通信部
４０    端側装置
４１０  合波分波器
４２０  光カプラ
４３０  無線送受信部
４３１  無線送信機
４３２  無線受信機
４５０  アンテナ
４６０  モニタ部
４７０  ＲＲＨ制御部
５０    端側装置
６１，６２，…  無線端末
Ａ１，Ａ２  増幅器
ＮＷ    通信網
【図１】
2016208354.tif 000003
【図２】
2016208354.tif 000004
【図３】
2016208354.tif 000005
【図４】
2016208354.tif 000006
【図５】
2016208354.tif 000007
【図６】
2016208354.tif 000008
【図７】
2016208354.tif 000009
【図８】
2016208354.tif 000010
【図９】
2016208354.tif 000011
【図１０】
2016208354.tif 000012
【図１１】
2016208354.tif 000013